(57)【特許請求の範囲】
【請求項１】
バネと、
前記バネを収容する凹部を有する回転体と、
前記回転体とともに回転し、前記バネにより前記回転体の外側方向に付勢されるクリック駒と、
側面の一部が円弧状凹面であって、溝が形成された従動部を有し、前記回転体の回転を規制するレバーと、
側面の一部が円弧状凸面である原動部とピンとを有し、前記ピンが前記レバーの溝に係合して前記レバーを回転させるとともに、前記ピンが前記レバーの溝から離脱した状態では前記原動部の円弧状凸面と前記レバーの従動部の円弧状凹面とが係合して前記レバーの回転を規制するゼネバ機構を構成する規制部材と、
内周面の周方向に前記バネによりクリック駒が押し当てられる凹凸部を有し、前記回転体、前記クリック駒、前記レバー、および、前記規制部材を収容するハウジング部と、
を具備する回転型電気部品。
【請求項２】
前記レバーの溝において、前記ピンが接する壁面部分の法線方向が、前記ピンの移動方向に対して斜めである請求項１に記載の回転型電気部品。
【請求項３】
前記レバーの溝は平行な壁面を有し、前記ピンは、前記平行な壁面の間に遊びを伴って収容される請求項２に記載の回転型電気部品。
【請求項４】
バネと、
前記バネを収容する凹部を有する回転体と、
前記回転体とともに回転し、前記バネにより前記回転体の外側方向に付勢されるクリック駒と、
ピン、および、該ピンを支持する平板状の従動部を有し、前記回転体の回転を規制するレバーと、
側面の一部が円弧状凸面であって、溝が形成された原動部を有し、前記溝に前記レバーの平板状の従動部が係合して前記レバーを回転させるとともに、前記レバーの平板状の従動部が前記溝から離脱した状態では前記原動部の円弧状凸面と前記レバーの平板状の従動部の側面とが摺動して前記レバーの回転を規制する規制部材と、
内周面の周方向に前記バネによりクリック駒が押し当てられる凹凸部を有し、前記回転体、前記クリック駒、前記レバー、および、前記規制部材を収容するハウジング部と、
を具備する回転型電気部品。
【発明の詳細な説明】
【技術分野】
【０００１】
本発明は、操作軸を回してスイッチングを行うロータリースイッチなどの回転型電気部品に関する。
【背景技術】
【０００２】
従来、複数の接点を切り替えることができるロータリースイッチが幅広く利用されている。例えば、通信機器においては、ロータリースイッチは、電源スイッチやボリューム調整、チャネル変更などの機能を実現するために利用されている。【０００３】
ロータリースイッチが電源スイッチの機能を実現するために用いられる場合、ロータリースイッチは、電源がオン、または、オフにされたことをユーザに明瞭に知らせるため、ユーザにクリック感を与えるように設計される。【０００４】
例えば、特許文献１には、電源オン時、電源オフ時に一度ずつクリック感が得られるロータリー・オン／オフ・コントロールスイッチが開示されている。図９、図１０は、特許文献１に示されたロータリー・オン／オフ・コントロールスイッチ１００の分解組み立て図である。【０００５】
このロータリー・オン／オフ・コントロールスイッチ１００は、ノブ１０１、シャフト１０２、ケーシング１０３、駆動部材１０４、キャリア部材１０５、摩擦部材１０６、順応性部材１０７、レバー１０８、プレート１０９を備える。【０００６】
ここで、ノブ１０１はシャフト１０２と連結されており、シャフト１０２は駆動部材１０４と連結されている。そのため、ノブ１０１を回転させると、駆動部材１０４が回転する。駆動部材１０４には駆動ピン１１０が設けられており、この駆動ピン１１０はレバー１０８の下部に形成された溝１１１（図１０を参照）に係合される。これにより、駆動部材１０４が回転すると、レバー１０８が回転することになる。【０００７】
一方、レバー１０８の上部にも、溝１１２が形成されている。この溝１１２には、キャリア部材１０５に設けられたキャリアピン１１３が係合される。これにより、レバー１０８が回転すると、キャリア部材１０５が回転することになる。【０００８】
ここで、摩耗部材１０６は、順応性部材１０７によりケーシング１０３に形成されている節度機構１１４に押し付けられる。そのため、ノブ１０１をユーザが回転させた際、キャリア部材１０５が回転することによって、そのユーザにクリック感を感じさせることが可能となる。【０００９】
図１１は、特許文献１に示された別のロータリー・オン／オフ・コントロールスイッチ２００の分解組み立て図である。このロータリー・オン／オフ・コントロールスイッチ２００は、ノブ２０１、シャフト２０２、ケーシング２０３、駆動部材２０４、キャリア部材２０５、摩擦部材２０６、レバー２０７、プレート２０８を備える。【００１０】
ノブ２０１はシャフト２０２と連結されており、シャフト２０２は駆動部材２０４と連結されている。そのため、ノブ２０１を回転させると、駆動部材２０４が回転する。駆動部材２０４にはフック機構２０９が設けられており、このフック機構２０９にレバー２０７の下部に設けられたレバーピン２１０が係合される。これにより、駆動部材２０４が時計回りに回転すると、レバー２０７が反時計回りに回転することになる。【００１１】
一方、レバー２０７の上部には、溝２１１が形成されている。この溝２１１には、キャリア部材２０５に設けられたキャリアピン２１２が係合される。これにより、レバー２０７が回転すると、キャリア部材２０５が回転することになる。【００１２】
ここで、摩耗部材２０６は、図示しない順応性部材によりケーシング２０３に形成されている節度機構２１３に押し付けられる。そのため、ノブ２０１をユーザが回転させた際、キャリア部材２０５が回転することによって、そのユーザにクリック感を感じさせることが可能となる。
【先行技術文献】
【特許文献】
【００１３】
【特許文献１】米国特許出願公開第２０１２／０２９８４９４号明細書
【発明の概要】
【発明が解決しようとする課題】
【００１４】
しかしながら、上述した特許文献１の従来技術では、ロータリー・オン／オフ・コントロールスイッチ１００、２００の耐久性に課題がある。【００１５】
具体的には、図９、図１０に示したロータリー・オン／オフ・コントロールスイッチ１００では、駆動部材１０４とレバー１０８とが駆動ピン１１０で結合されている。この駆動ピン１１０は、ノブ１０１が反時計回りに大きく回転すると、レバー１０８の下部に形成された溝１１１から離脱する。そして、ノブ１０１が時計回りに回転すると、駆動ピン１１０は再び溝１１１に係合される。【００１６】
ここで、レバー１０８とキャリア部材１０５とは、キャリアピン１１３がレバー１０８の上部に形成された溝１１２に係合されることにより連結される。しかし、溝１１２の壁面の摩耗が進むと、ノブ１０１が反時計回りに大きく回転し、レバー１０８の下部に形成された溝１１１から駆動ピン１１０が離脱した際、キャリアピン１１３まで溝１１２から離脱することがある。【００１７】
この場合、レバー１０８の回転角度が定まらなくなり、ノブ１０１が時計回りに回転した場合に、駆動ピン１１０がレバー１０８の側面に衝突して、駆動ピン１１０が破損する可能性がある。【００１８】
他方、図１１に示したロータリー・オン／オフ・コントロールスイッチ２００では、駆動部材２０４とレバー２０７とがレバーピン２１０で結合されている。この場合も、ノブ２０１が勢いよく時計回りに回転した場合、レバーピン２１０が駆動部材２０４に形成されたフック機構２０９の壁面に激しく衝突し、レバーピン２１０が破損する可能性がある。【００１９】
本発明は、上述した問題を解決するためになされたものであり、駆動部材とレバーとの係合部分が破損することを容易に防止することができる回転型電気部品を実現することを目的とする。
【課題を解決するための手段】
【００２０】
本発明の回転型電気部品は、バネと、バネを収容する凹部を有する回転体と、回転体とともに回転し、バネにより回転体の外側方向に付勢されるクリック駒と、側面の一部が円弧状凹面であって、溝が形成された従動部を有し、回転体の回転を規制するレバーと、側面の一部が円弧状凸面である原動部とピンとを有し、ピンがレバーの溝に係合してレバーを回転させるとともに、ピンがレバーの溝から離脱した状態では原動部の円弧状凸面とレバーの従動部の円弧状凹面とが係合してレバーの回転を規制するゼネバ機構を構成する規制部材と、内周面の周方向にバネによりクリック駒が押し当てられる凹凸部を有し、回転体、クリック駒、レバー、および、規制部材を収容するハウジング部と、を具備する。【００２１】
また、本発明の回転型電気部品は、バネと、バネを収容する凹部を有する回転体と、回転体とともに回転し、バネにより回転体の外側方向に付勢されるクリック駒と、ピン、および、ピンを支持する平板状の従動部を有し、回転体の回転を規制するレバーと、側面の一部が円弧状凸面であって、溝が形成された原動部を有し、溝にレバーの平板状の従動部が係合してレバーを回転させるとともに、レバーの平板状の従動部が溝から離脱した状態では原動部の円弧状凸面とレバーの平板状の従動部の側面とが摺動してレバーの回転を規制する規制部材と、内周面の周方向にバネによりクリック駒が押し当てられる凹凸部を有し、回転体、クリック駒、レバー、および、規制部材を収容するハウジング部と、を具備する。
【発明の効果】
【００２２】
本発明によれば、駆動部材とレバーとの係合部分が破損することを容易に防止することができる回転型電気部品を実現することができる。
【図面の簡単な説明】
【００２３】
【図１】本発明の実施の形態１に係る回転型電気部品の構成の一例を示す分解組み立て図
【図２】本発明の実施の形態１に係る回転型電気部品の構成の一例を示す分解組み立て図
【図３】規制部材のピンがレバーの溝から離脱する際のゼネバ機構の動作の一例を示す図
【図４】規制部材のピンがレバーの溝に係合する際のゼネバ機構の動作の一例を示す図
【図５】ピンが接するレバーの溝の壁面部分の法線方向Ｎとピンの移動方向Ｍとの間の関係を示す図
【図６】本発明の実施の形態２に係る回転型電気部品の構成の一例を示す分解組み立て図
【図７】本発明の実施の形態２に係る回転型電気部品の構成の一例を示す分解組み立て図
【図８】回転型電気部品が備える回転機構の動作の一例を示す図
【図９】特許文献１に示されたロータリー・オン／オフ・コントロールスイッチの分解組み立て図
【図１０】特許文献１に示されたロータリー・オン／オフ・コントロールスイッチの分解組み立て図
【図１１】特許文献１に示された別のロータリー・オン／オフ・コントロールスイッチの分解組み立て図
【発明を実施するための形態】
【００２４】
以下に、本発明の実施形態について、図面を参照して詳細に説明する。
【００２５】
（実施の形態１）
図１、図２は、本発明の実施の形態１に係る回転型電気部品１０の構成の一例を示す分解組み立て図である。回転型電気部品１０は、例えば、図示しないノブを回した際にクリック感を生じさせるロータリースイッチなどの部品である。
【００２６】
この回転型電気部品１０は、ハウジング部１１、規制部材１２、レバー１３、回転体１４、クリック駒１５、バネ１６を備える。
【００２７】
ハウジング部１１は、規制部材１２やレバー１３、回転体１４、クリック駒１５、バネ１６を収容する部材である。ハウジング部１１は、クリック駒１５がバネ１６により押し当てられる凹凸部２６と、レバー１３が回転自在に取り付けられる支柱２７を備える（図２を参照）。
【００２８】
規制部材１２は、レバー１３の回転を規制する部材である。規制部材１２は、図示しないシャフトと結合され、シャフトの回転に応じて回転する。このシャフトは、例えば、電源のオンオフ、ボリューム調整、チャネル変更などを行う際にユーザが回転させる図示しないノブと結合されている。規制部材１２とレバー１３とを組み合わせることにより、ゼネバ機構が構成される。
【００２９】
具体的には、規制部材１２は、ピン１７、原動部１８を備える。原動部１８は、側面の一部が円弧状凸面１８ａとなっている。
【００３０】
また、レバー１３は、側面の一部が円弧状凹面２０ａであって、溝１９が形成された従動部２０、ピン２１、支柱用穴部２２を備える。支柱用穴部２２にハウジング部１１の支柱２７が係合することにより、ハウジング部１１にレバー１３が回転自在に取り付けられる。
【００３１】
そして、規制部材１２が回転し、ピン１７がレバー１３の溝１９に係合すると、支柱２７を中心としてレバー１３が回転する。一方、ピン１７がレバー１３の溝１９から離脱した状態では、規制部材１２の原動部１８の円弧状凸面１８ａと、レバー１３の従動部２０の円弧状凹面２０ａとが係合して、支柱２７を中心としたレバー１３の回転を規制する。このようなゼネバ機構の動作については、後に図３、図４を用いて詳しく説明する。
【００３２】
回転体１４には、溝２３、開口部２４、凹部２５が形成されている。溝２３には、レバー１３のピン２１が係合する。そして、レバー１３が支柱２７を中心として回転すると、回転軸１４も回転体１４の中心軸の周りに回転する。
【００３３】
また、開口部２４には、クリック駒１５が配置される。そして、クリック駒１５を回転体１４の外側方向に付勢するように、バネ１６が凹部２５に配置される。これにより、ハウジング部１１の凹凸部２６には、クリック駒１５が押し当てられ、回転体１４が回転する際に、クリック感が得られるようになる。
【００３４】
つぎに、回転型電気部品１０が備えるゼネバ機構の動作について説明する。図３は、規制部材１２のピン１７がレバー１３の溝１９から離脱する際のゼネバ機構の動作の一例を示す図である。図３Ｂ〜図３Ｄは、図３Ａの状態から規制部材１２が反時計回りにそれぞれ１０度、２０度、３０度だけ回転した状態を示す。
【００３５】
図３Ａ〜図３Ｄに示すように、規制部材１２が反時計回りに回転する場合、規制部材１２のピン１７は、レバー１３の溝１９の右側の壁面を押し出す。これにより、レバー１３は支柱２７を中心として時計回りに回転する。
【００３６】
そして、図３Ｄの状態の後、ピン１７がレバー１３の溝１９から離脱すると、規制部材１２が回転したとしても、レバー１３は回転しなくなる。また、規制部材１２の原動部１８の円弧状凸面１８ａと、レバー１３の従動部２０の円弧状凹面２０ａとが係合して、レバー１３の支柱２７を中心とした回転が抑制される。
【００３７】
すなわち、レバー１３はこれ以上回転しないので、図１、図２に示した回転体１４もこれ以上回転することはなく、クリック駒１５と凹凸部２６により生じるクリック感の発生回数が１回に制限される。
【００３８】
図４は、規制部材１２のピン１７がレバー１３の溝１９に係合する際のゼネバ機構の動作の一例を示す図である。図４Ｂ〜図４Ｄは、図４Ａの状態から規制部材１２が時計回りにそれぞれ１０度、２０度、３０度だけ回転した状態を示す。なお、図４Ｄの状態は、図３Ａの状態と同じである。
【００３９】
図４Ａ〜図４Ｄに示すように、規制部材１２が時計回りに回転すると、ピン１７がレバー１３の溝１９に係合する。その際、ピン１７がレバー１３の溝１９の左側の壁面を押し出し、レバー１３は支柱２７を中心として反時計回りに回転する。これにより、回転体１４が時計回りに回転し、クリック駒１５と凹凸部２６により１回だけクリック感が発生する。
【００４０】
ここで、ピン１７がレバー１３の溝１９に係合している状態において、ピン１７が接するレバー１３の溝１９の壁面部分の法線方向が、ピン１７の移動方向に対して斜めとなるように溝１９を形成することとしてもよい。
【００４１】
図５は、ピン１７が接するレバー１３の溝１９の壁面部分の法線方向Ｎとピン１７の移動方向Ｍとの間の関係を示す図である。例えば、図３Ａに示したレバー１３の回転開始時点において、ピン１７が接するレバー１３の溝１９の壁面部分の法線方向が、ピン１７の移動方向に対して１８０度の角度とならないように溝１９の壁面を形成する。これにより、レバー１３の回転を開始させるために必要な力を小さくすることができる。
【００４２】
また、図３Ａの状態だけでなく、図３Ｂ〜図３Ｄ、図４Ａ〜図４Ｃに示したようなレバー１３の回転開始後の各状態においても、ピン１７が接するレバー１３の溝１９の壁面部分の法線方向が、ピン１７の移動方向に対して斜めとなるように溝１９の壁面を形成してもよい。これにより、レバー１３の回転を継続するために必要な力を小さくすることができる。
【００４３】
さらに、レバー１３を挟む溝１９の壁面を、互いに平行な壁面とし、ピン１７が、その平行な壁面の間に遊びを伴って収容されることとしてもよい。
【００４４】
これにより、ピン１７がレバー１３の溝１９から離脱する場合と、ピン１７がレバー１３の溝１９に係合する場合とで、クリック感が得られるレバー１３の回転時の位置を略等しくすることができる。そのため、ユーザが違和感なくノブを操作することができる。
【００４５】
また、上記構成により、図５に示したような、レバー１３の移動方向とレバー１３が接する溝１９の壁面部分の法線方向との間の関係を、ピン１７がレバー１３の溝１９から離脱する場合と、ピン１７がレバー１３の溝１９に係合する場合とで略等しくすることができる。
【００４６】
その結果、ピン１７がレバー１３の溝１９から離脱する際にレバー１３を回転させるために要する力と、ピン１７がレバー１３の溝１９に係合する際にレバー１３を回転させるために要する力とが略等しくなる。これによっても、ユーザは違和感なくノブを操作することができる。
【００４７】
以上説明したように、本実施の形態１によれば、ピン１７がレバー１３の溝１９から離脱した状態において、原動部１８の円弧状凸面１８ａとレバー１３の従動部２０の円弧状凹面２０ａとが係合して、レバー１３の回転を規制するゼネバ機構を形成している。
【００４８】
そのため、ピン１７がレバー１３の溝１９から離脱後、その溝１９に再び係合する際に、ピン１７がレバー１３の側面に衝突して、規制部材１２とレバー１３とを係合する係合部分であるピン１７が折れてしまうような事態が生じないようにすることができる。
【００４９】
（実施の形態２）
図６、７は、本発明の実施の形態２に係る回転型電気部品３０の構成の一例を示す分解組み立て図である。この回転型電気部品３０も、実施の形態１に係る回転型電気部品３０と同様に、例えば、図示しないノブを回した際にクリック感を生じさせるロータリースイッチなどの部品である。
【００５０】
回転型電気部品３０は、ハウジング部３１、規制部材３２、レバー３３、回転体３４、クリック駒３５、バネ３６を備える。
【００５１】
ハウジング部３１は、規制部材３２やレバー３３、回転体３４、クリック駒３５、バネ３６を収容する部材である。ハウジング部３１は、クリック駒３５がバネ３６により押し当てられる凹凸部４５と、レバー３３が回転自在に取り付けられる支柱４６を備える（図７を参照）。
【００５２】
規制部材３２は、レバー３３の回転を規制する部材である。規制部材３２は、図示しないシャフトと結合され、シャフトの回転に応じて回転する。このシャフトは、例えば、電源のオンオフ、ボリューム調整、チャネル変更などを行う際にユーザが回転させる図示しないノブと結合されている。
【００５３】
具体的には、規制部材３２は、側面の一部が円弧状凸面３８ａであって、溝３７が形成された原動部３８を備える。また、レバー３３は、ピン３９、ピン３９を支持する平板状の従動部４０、および、支柱用穴部４１を備える。支柱用穴部４１にハウジング部３１の支柱４６が係合することにより、ハウジング部３１にレバー３３が回転自在に取り付けられる。
【００５４】
そして、規制部材３２が回転し、規制部材３２の溝３７にレバー３３の平板状の従動部４０の先端部分が係合すると、支柱４６を中心としてレバー３３が回転する。一方、平板状の従動部４０の先端部分が規制部材３２の溝３７から離脱した状態では、原動部３８の円弧状凸面３８ａと平板状の従動部４０の側面４０ａとが摺動して、レバー３３の支柱４６を中心とした回転を規制する。この回転機構の動作については、後に図８を用いて詳しく説明する。
【００５５】
回転体３４には、溝４２、開口部４３、凹部４４が形成されている。溝４２には、レバー３３のピン３９が係合する。そして、レバー３３が支柱４６を中心として回転すると、回転体３４も回転体３４の中心軸の周りに回転する。
【００５６】
また、開口部４３には、クリック駒３５が配置される。そして、クリック駒３５を回転体３４の外側方向に付勢するように、バネ３６が凹部４４に配置される。これにより、ハウジング部３１の凹凸部４５には、クリック駒３５が押し当てられ、回転体３４が回転する際に、クリック感が得られるようになる。
【００５７】
つぎに、回転型電気部品３０が備える回転機構の動作について説明する。図８は、回転型電気部品３０が備える回転機構の動作の一例を示す図である。図８では、規制部材３２は、回転体３４の向こう側に配置されるため、規制部材３２を点線で示している。
【００５８】
図８Ａ、図８Ｂは、レバー３３の平板状の従動部４０の先端部分が規制部材３２の溝３７から離脱する際の回転機構の動作を示している。また、図８Ｃ、図８Ｄは、レバー３３の平板状の従動部４０の先端部分が規制部材３２の溝３７に係合する際の回転機構の動作を示している。
【００５９】
図８Ａ、図８Ｂに示すように、規制部材３２が反時計回りに回転する場合、レバー３３の平板状の従動部４０の先端部分は規制部材３２の溝３７に係合しているため、レバー３３は支柱４６を中心として時計回りに回転する。
【００６０】
そして、図８Ｂに示すように、平板状の従動部４０の先端部分がレバー３３の溝３７から離脱すると、回転体３４が回転したとしても、レバー３３は回転しなくなる。それだけでなく、規制部材３２の原動部３８の円弧状凸面３８ａと、レバー３３の平板状の従動部４０の側面４０ａとが摺動して、レバー３３の支柱４６を中心とした回転が抑制される。
【００６１】
すなわち、レバー３３はこれ以上回転しないので、回転体３４もこれ以上回転することはなく、クリック駒３５と凹凸部４５によるクリックの回数を１回に制限することができる。
【００６２】
また、図８Ｃ、図８Ｄに示すように、規制部材３２が時計回りに回転する場合、レバー３３の平板状の従動部４０の先端部分が規制部材３２の溝３７に係合する。その際、レバー３３は支柱４６を中心として反時計回りに回転する。これにより、回転体３４も反時計回りに回転し、クリック駒３５と凹凸部４５により１回のクリックが発生する。
【００６３】
このように、本実施の形態２によれば、規制部材３２の溝３７にレバー３３の平板状の従動部４０が係合してレバー３３を回転させるとともに、レバー３３の平板状の従動部４０が溝３７から離脱した状態では原動部３８の円弧状凸面３８ａとレバー３３の平板状の従動部４０の側面４０ａとが摺動してレバー３３の回転を規制することとした。
【００６４】
すなわち、本実施の形態２によれば、規制部材３２とレバー３３とをピンを用いることなく、平板状の従動部４０を用いて係合している。これにより、規制部材３２とレバー３３との係合部分が破損することを容易に防止することができる。
【産業上の利用可能性】
【００６５】
本発明にかかる回転型電気部品は、駆動部材とレバーとの係合部分が破損することを容易に防止することが求められる回転型電気部品に用いるのに好適である。
【符号の説明】
【００６６】
１０，３０  回転型電気部品
１１，３１  ハウジング部
１２，３２  規制部材
１３，３３，１０８  レバー
１４，３４  回転体
１５，３５  クリック駒
１６，３６  バネ
１７，２１，３９  ピン
１８，３８  原動部
１８ａ，３８ａ  円弧状凸面
１９，２３，３７，４２  溝
２０  従動部
２０ａ  円弧状凹面
２２，４１  支柱用穴部
２４，４３  開口部
２５，４４  凹部
２６，４５  凹凸部
２７，４６  支柱
４０  平板状の従動部
４０ａ  側面
１００  ロータリー・オン／オフ・コントロールスイッチ
１０１  ノブ
１０２  シャフト
１０３  ケーシング
１０４  駆動部材
１０５  キャリア部材
１０６  摩擦部材
１０７  順応性部材
１０９  プレート
【図１】
0005977891.tif 000002
【図２】
0005977891.tif 000003
【図３】
0005977891.tif 000004
【図４】
0005977891.tif 000005
【図５】
0005977891.tif 000006
【図６】
0005977891.tif 000007
【図７】
0005977891.tif 000008
【図８】
0005977891.tif 000009
【図９】
0005977891.tif 000010
【図１０】
0005977891.tif 000011
【図１１】
0005977891.tif 000012